(57)【特許請求の範囲】
【請求項１】
表フィルムと裏フィルムとを重ねあわせ、上部に天シール部と、左右にサイドシール部を設け、一方のサイドシール部から他方のサイドシール部に向けて、張出しシール部を設け、前記天シール部と前記張出しシール部の間に、内容物を取り出すときに通る内容物流出路を設け、該内容物流出路と連通する内容物収納部を前記張出しシール部の下方に設け、前記張出しシール部に易切断線を設け、また、前記天シール部には前記内容物流出路を切断して開口部を設けるための開口用ノッチが設けられ、前記易切断線の先端には切断停止部が設けられ、該切断停止部は半円弧と直線部からなり、該半円弧は、前記易切断線が該半円弧の絃の中心を通り、該半円弧を二分する点に至るように設けられ、前記直線部は、前記半円弧の両端部から前記一方のサイドシール部に向かうように設けられ、前記切断停止部は切れ目からなることを特徴とする包装袋。
【請求項２】
前記天シール部と前記他方のサイドシール部との隅部に広幅シール部を設け、前記易切断線より上部が挿し込めるように、前記広幅シール部にスリットが設けられていることを特徴とする請求項１に記載の包装袋。
【請求項３】
前記一方のサイドシール部に、前記易切断線に向けて易切断線用ノッチが設けられ、該易切断線用ノッチの下側は、上側より大きく角Ｒが取られていることを特徴とする請求項１または２に記載の包装袋。
【請求項４】
前記他方のサイドシール部側の前記易切断線用ノッチより低い位置に、第２開口用ノッチが設けられていることを特徴とする請求項１から３のいずれか１項に記載の包装袋。
【発明の詳細な説明】
【技術分野】
【０００１】
本発明は、包装袋に関するものである。更に詳しくは再封機能を有する包装袋に関するものである。
【背景技術】
【０００２】
近年、食品などの内容物を収納するための容器として、各種の形態のものが使用されており、代表的なものとして、各種形状の軟包装袋、円筒状や外形が角柱状の紙製容器などがある。
【０００３】
紙製容器の場合は内容物を取り出した後、比較的容易に蓋などにより再封することができるが、軟包装袋の場合は、取り出した後、再封することが難しく、再封用の別途用意した冶具で、内容物取り出し用開口部を挟んで再封したりしている。
【０００４】
また、取り出し開口部の下の表フィルムと裏フィルムに雄型と雌型を有するプラスチック製のチャックをそれぞれ溶着して、チャック付包装袋とし、開封後はチャックを閉めて再封するようにしたものがある。
【０００５】
チャック付包装袋は、確実に再封できて便利であるが、嵌合させた雄型と雌型を有するプラスチック製のチャックテープを包装袋内に融着させなくてはならないので、工程が増え、また、融着不良が起きやすく、さらには、チャックテープ自体のコストが高いという問題があった。
【０００６】
また、一方、繰り返し屈伸可能な部材や、巻き込み、あるいは捩り込みの可能な部材を取り出し開口部に対し垂直・平行・斜めのいずれかの方向に、組み込んだり貼り付けたりして、閉口し、再封を可能にした袋があった（特許文献１）。
【０００７】
この袋についても、袋に部材を融着させなくてはならないので、工程が増え、また、シール不良が起きやすく、問題があった。
【０００８】
一方、図５のような、液体の内容物を注ぎだすために、サイドシール部２から内方に張出しシール部４を設けて鶴口状の内容物流出路５を形成し、且つ、張出しシール部４にミシン目（易切断線６）を設けて、ミシン目（易切断線６）を切断して、内容物流出路５を分離して詰め替えを容易にした包装袋があった（特許文献２）。
【０００９】
この包装袋では、ミシン目を切断して、内容物流出路５を分離するときに、ミシン目の先端のところで、切断を止められずに、内容物収納部１１まで切断してしまうという問題点があった。
【００１０】
また、図６の包装袋では、内容物収納部１１の上部に内容物流出路５が設けられていて、隣接する広幅シール部１０が、ミシン目（易切断線６）によって、分離できるようになっている。広幅シール部１０には、スリット１２が設けられている。
【００１１】
そして、ミシン目で分離して、内容物流出路５のある部分を、折り曲げてスリット１２に差し込み再封するようになっている。また、内容物流出路５のある部分には、係止部１６が設けられている（特許文献３）。この包装袋でも、同様に、ミシン目を切断して、内容物流出路５を分離するときに、切断を止められずに、内容物収納部１１まで切断してしまう恐れがあった。
【００１２】
公知文献を以下に示す。
【先行技術文献】
【特許文献】
【００１３】
【特許文献１】実用新案登録第３０４７８０２号公報
【特許文献２】特開平６−１７９４６１号公報
【特許文献３】実開昭６１−１０７７４１号公報
【発明の概要】
【発明が解決しようとする課題】
【００１４】
本発明は上記した事情に鑑みてなされたもので、易切断線を切断して内容物流出路を分離するときに、易切断線の切断が、所定の位置で停止させることができ、また、別部材を使用することなく、再封が可能である包装袋を提供することを課題とする。
【課題を解決するための手段】
【００１５】
本発明の請求項１に係る発明は、表フィルムと裏フィルムとを重ねあわせ、上部に天シール部と、左右にサイドシール部を設け、一方のサイドシール部から他方のサイドシール部に向けて、張出しシール部を設け、前記天シール部と前記張出しシール部の間に、内容物を取り出すときに通る内容物流出路を設け、該内容物流出路と連通する内容物収納部を前記張出しシール部の下方に設け、前記張出しシール部に易切断線を設け、また、前記天シール部には前記内容物流出路を切断して開口部を設けるための開口用ノッチが設けられ、前記易切断線の先端には切断停止部が設けられ、該切断停止部は半円弧と直線部からなり、該半円弧は、前記易切断線が該半円弧の絃の中心を通り、該半円弧を二分する点に至るように設けられ、前記直線部は、前記半円弧の両端部から前記一方のサイドシール部に向かうように設けられ、前記切断停止部は切れ目からなることを特徴とする包装袋である。
【００１６】
本発明の請求項２の発明は、前記天シール部と前記他方のサイドシール部との隅部に広幅シール部を設け、前記易切断線より上部が挿し込めるように、前記広幅シール部にスリットが設けられていることを特徴とする請求項１に記載の包装袋である。
【００１８】
本発明の請求項３の発明は、前記一方のサイドシール部に、前記易切断線に向けて易切断線用ノッチが設けられ、該易切断線用ノッチの下側は、上側より大きく角Ｒが取られていることを特徴とする請求項１または２に記載の包装袋である。
【００１９】
本発明の請求項４の発明は、前記他方のサイドシール部側の前記易切断線用ノッチより低い位置に、第２開口用ノッチが設けられていることを特徴とする請求項１から３のいずれか１項に記載の包装袋である。
【発明の効果】
【００２０】
本発明の包装袋は、易切断線を切断して内容物流出路を分離するときに、易切断線の切断が、所定の位置で停止させることができる。また、別部材を使用することなく、再封が可能である。更には、一時に内容物を多く出すときには、第２開口用ノッチから開口して、大きな開口することもできる。
【図面の簡単な説明】
【００２１】
【図１】本発明の包装袋の一例を模式的に示した平面図である。
【図２】本発明の包装袋の一例の切断停止線を模式的に示した説明図である。
【図３】本発明の包装袋の一例の係止突起を模式的に示した説明図である。
【図４】（Ａ）（Ｂ）（Ｃ）（Ｄ）比較例の包装袋の切断停止線を模式的に示した説明図である。
【図５】従来の包装袋の一例を模式的に示した平面図である。
【図６】従来の包装袋の他の例を模式的に示した平面図である。
【発明を実施するための形態】
【００２２】
以下本発明を実施するための形態につき説明する。
図１は、本発明の包装袋の一例を模式的に示した平面図である。図２は、本発明の包装袋の一例の切断停止線を模式的に示した説明図である。
【００２３】
本例の包装袋は、図１のように、表フィルムと裏フィルムとを重ねあわせて、上部に天シール部１と、左右にサイドシール部２、３が設けられている。そして、一方のサイドシール部２から他方のサイドシール部３に向けて、張出しシール部４が設けられていて、天シール部１と張出しシール部４の間に、内容物を取り出すときに通る内容物流出路５を設けられている。
【００２４】
張出しシール部４は、包装袋の略左右中央まで形成されている。そして、張出しシール部４に易切断線６が設けられている。さらに、一方のサイドシール部２には、易切断線６に向けて易切断線用ノッチ７が設けられている。また、天シール部１には内容物流出路５を切断して開口部を設けるための開口用ノッチ８が設けられている。
【００２５】
易切断線６は、切りやすいように設けられた略線状のものである。例えば、破線状に貫通した切れ目であっても良いし、本例の包装袋のように、Ｙの字状の貫通した切れ目を、Ｙの字の下の部分がＹの字の上の二股の間を指すように、線状に並べたものでも良い。また、折れ線状の貫通した切れ目の長いほうを線状に並べたものであっても良い。更には、丸い点状の貫通孔を並べたミシン目であっても良い。
【００２６】
易切断線６の先端には切断停止部９が設けられ、易切断線６を切断して、内容物流出路５のある易切断線６から上の部分を分離させるときに、切断が停止するようになっている。切断停止部９は、図２のように、半円弧９aと半円弧９ａの両端部から一方のサイドシール部２に向かう直線部９ｂとからなり、表フィルムと裏フィルムとを貫通する切れ目でなっている。
【００２７】
半円弧９aは、易切断線６が半円弧９ａの絃の中心Ｏを通り、半円弧９ａを二分する点Ｐに至るように設けられている。直線部９ｂの長さは、半円弧の半径より長く、直径と等しいか、または、直径より短くして、易切断線６と平行に設ける。長すぎると切断前にカールしたりしてじゃまになり、短すぎると切断を停止することが難しくなる。
【００２８】
本発明の包装袋を開封するには、易切断線６を切断して、内容物流出路５のある易切断線６から上の部分を分離させ、開口用ノッチ８から引き裂いて内容物流出路５を切断して、開口部を設けて開封することができる。
【００２９】
天シール部１と他方のサイドシール部３との隅部に広幅シール部１０が設けられている。広幅シール部１０の内側の端縁は、内容物流出路５から下に曲線を描いて曲がり、内容物収納部１１に向かうようになっている。
【００３０】
広幅シール部１０には、縦方向のスリット１２が設けられている。スリット１２は、易切断線６を切断して、内容物流出路５のある易切断線６から上の部分を分離させ、開口用ノッチ８から引き裂いて内容物流出路５を切断して、開口した後、再封するときに、分離した易切断線６から上の部分を、折り返して、先端から挿し込んで再封するように設けてある。
【００３１】
そして、易切断線６には、下に曲がって突出した係止突起１３が設けられていて、スリット１２に、易切断線６から上部を挿し込んだときに係止できるようになっている。
【００３２】
図３は、本発明の包装袋の一例の係止突起を模式的に示した説明図である。
【００３３】
係止突起１３には、図３のように、他方のサイドシール側３に角度θが略直角になっている抜け防止部１３ａと、一方のサイドシール部２側にそれより緩やかな傾斜になっている易挿し込む部１３ｂとが設けられ、挿し込むときは容易に挿し込むことができ、且つ、意図しないときに抜けることがないようになっている。
【００３４】
スリット１２の上端の位置は、内容物流出路５の上の天シール部１の上端縁の位置と略等しく、スリット１２の長さは、抜け防止部１３ａを含めた易切断線６から上の部分の幅よりも短く設けられ、はずみで抜けてしまうことがないようになっている。
【００３５】
また、係止突起１３がないところでの易切断線６から上の部分の幅よりも長く設けられている。このようになっているので、スリット１２に易切断線６から上の部分を挿し込むときは楽に挿し込め、スリット１２から抜くときには、角度θが略直角になっている抜け防止部１３ａのため、抜けにくく、抵抗が強くなるようになっている。
【００３６】
易切断線用ノッチ７の下側は、上側より大きく角Ｒが取られてサイドシール部２に至るようになっていて、張出しシール部４に深く入っている。このように易切断線用ノッチ７の先端部からサイドシール部２までが長く取られているので、指で挟んで易切断線６を切断するとき、易切断線用ノッチ７の先端部を引き裂きやすい。
【００３７】
また更には、開口用ノッチ８より引き裂いて、内容物流出路５を切断して開口部を開けて内容物を出す際に、易切断線用ノッチ７の下側が、上側より大きく角Ｒが取られているので、じゃまにならない。
【００３８】
本例の包装袋では、他方のサイドシール部３側に第２開口用ノッチ１４を、易切断線用ノッチ７より下げた位置に設けてある。第２開口用ノッチ１４から引き裂いて開けると、内容物収納部１１の上部を横断して切断することになり、内容物流出路５を切断して開口した場合より広く開口することができる。
【００３９】
尚、張出しシール部４の易切断線の下方には、縦長の長円状の未シール部１５ａ、１５ｂが設けられている。未シール部１５ａ、１５ｂは、表フィルムと裏フィルムのテンションを逃がし、張出しシール部４がカールしないようにするために、また、張出しシール部４の面積が大きいので、シール時に噛み込んだ空気を未シール部１５ａ、１５ｂに逃がして、気泡がランダムに残って外観が悪くなることのないように、設けられている。
【実施例】
【００４０】
以下に、本発明の具体的実施例について説明する。
【００４１】
＜実施例１＞
アルミナ蒸着ポリエチレンテレフタレートフィルムの蒸着面に二軸延伸ナイロンフィルムをドライラミネーション法で貼り合わせて基材とし、この基材のナイロンフィルム面に未延伸の直鎖低密度ポリエチレンをドライラミネーション法で貼り合わせてシーラント層とし、表フィルムと裏フィルム用の積層フィルムを得た。
【００４２】
この積層フィルムのシーラント層どうしを対向させ、ヒートシールし、また、外形抜きと各切れ目入れを、抜き加工で入れ、幅１００ｍｍ、高さ１７４ｍｍの、図1のような、実施例１の包装袋を得た。
【００４３】
切断停止部９の形状は、半径２．６ｍｍの円の半円弧９aと直線部９ｂの長さが２．０ｍｍで設けた。
【００４４】
以下に、本発明の比較例について説明する。
【００４５】
＜比較例１＞
切断停止部９の形状を、図４（Ａ）のように、円弧部分を半径２．６ｍｍの円で中心角１２０°の円弧とし、直線部のない形状とした以外は、実施例１と同様にして、比較例１の包装袋を得た。
【００４６】
＜比較例２＞
切断停止部９の形状を、図４（Ｂ）のように、円弧部分を半径２．６ｍｍの半円弧とし、直線部のない形状とした以外は、実施例１と同様にして、比較例２の包装袋を得た。
【００４７】
＜比較例３＞
切断停止部９の形状を、図４（Ｃ）のように、円弧部分を半径２．６ｍｍの半円弧とし、直線部の長さが２．０ｍｍで、上側の直線部は易切断線６と平行に設け、下側の直線部は張出しシール部の下端縁と平行に設けた以外は、実施例１と同様にして、比較例３の包装袋を得た。
【００４８】
＜比較例４＞
切断停止部９の形状を、図４（Ｄ）のように、円弧部分を半径２．６ｍｍの半円弧とし、直線部の長さが２．０ｍｍで、上側の直線部のみ易切断線６と平行に設けた以外は、実施例１と同様にして、比較例４の包装袋を得た。
【００４９】
＜試験方法＞
実施例と比較例の包装袋を下記の方法で試験し、比較評価した。
【００５０】
＜切断停止性評価＞
実施例と比較例の包装袋１０袋ずつを、それぞれ、易切断線用ノッチ７から手で引き裂き、易切断線６を引き裂いていき、切断停止部９で止まるか否かを評価した。
【００５１】
切断停止部９で止まった包装袋を○とし、切断停止部９で止まらない包装袋を×とし、止まる場合と止まらない場合がある包装袋を、△として評価し、その結果を表１にまとめた。
【００５２】
＜停止強度測定＞
易切断線６を引き裂いて、引張試験機（株式会社島津製作所製オートグラフ（登録商標）ＡＧ−ＩＳ）のチャックに、易切断線６の上側と下側をそれぞれ挟み、引張速度３００ｍｍ／ｍｉｎで引っ張り、切断停止部を引き裂き始めるときにかかる力を測定した。
【００５３】
【表１】
0006019702.tif 000002
以下に、実施例と比較例との比較結果について説明する。
【００５４】
＜比較結果＞
実施例１の包装袋は、切断停止性評価において、手で易切断線６を引き裂いていくと、１０袋いずれも、切断停止部９で切断を停止することができ、また、停止強度測定では、３０Ｎ以上の力がなければ引き裂くことができず、良好な結果であった。
【００５５】
一方、比較例１から３の包装袋では、手で易切断線６を引き裂いていくと、１０袋いずれも、切断停止部９で切断を停止することができず、また、停止強度測定では、それぞれ、５から７Ｎで引き裂かれてしまうことがわかった。
【００５６】
また、比較例４の包装袋では、手で易切断線６を引き裂いていくと、切断停止部９で切断を停止しないものもあり、確実性にかける結果であった。また、停止強度測定では、１２Ｎで引き裂かれてしまうことがわかった。切断停止性評価においても、停止強度測定でも、いずれも不十分と思われる。
【００５７】
以上のように、本発明の包装袋は、易切断線用ノッチ７から手で引き裂き、易切断線６を引き裂いて内容物流出路を分離するときに、易切断線６の切断を切断停止部９で停止させることができる。
【００５８】
また、別部材を使用することなく、再封が可能である。更には、一時に内容物を多く出すときには、第２開口用ノッチから開口して、大きく開口することもできる。
【００５９】
さらに、スリット１２が設けられているので、易切断線６を切断して、内容物流出路５のある易切断線６から上の部分を分離させ、開口用ノッチ８から引き裂いて内容物流出路５を切断して、開口した後、分離した易切断線６から上の部分を、折り返して、先端からスリット１２に挿し込んで再封することができる。
【００６０】
そして、係止突起１３が図３のように設けられているので、スリット１２に、易切断線６から上部を挿し込んだときに係止することができる。そして、係止突起１３の形状が前述のようになっているので、挿し込むときは容易に挿し込むことができ、且つ、意図しないときに抜けることがない。
【００６１】
易切断線用ノッチ７の下側に、上側より大きな角Ｒが取られているので、開口用ノッチ８より引き裂いて、内容物流出路５を切断して開口部を開けて内容物を出す際に、じゃまにならない。
【００６２】
本発明の包装袋は、以上のような作用効果があり、液体あるいはペースト状などの流動物、または、粉末スープや調味料、トナーなどの粉流体を収納する包装袋として最適に使用できる。
【符号の説明】
【００６３】
１・・・天シール部
２、３・・・サイドシール部
４・・・張出しシール部
５・・・内容物流出路
６・・・易切断線
７・・・易切断線用ノッチ
８・・・開口用ノッチ
９・・・切断停止部
９a・・・半円弧
９ｂ・・・直線部
Ｏ・・・絃の中心
Ｐ・・・半円弧を二分する点
１０・・・広幅シール部
１１・・・内容物収納部
１２・・・スリット
１３・・・係止突起
θ・・・角度
１４・・・第２開口用ノッチ
１５ａ、１５ｂ・・・未シール部
【図１】
0006019702.tif 000003
【図２】
0006019702.tif 000004
【図３】
0006019702.tif 000005
【図４】
0006019702.tif 000006
【図５】
0006019702.tif 000007
【図６】
0006019702.tif 000008